Podtech/llm-jp-corpus-v4-ja_patent huggingface dataset:
(57)【要約】      （修正有）【課題】発光ダイオードを使用し調光機能を有する教材用スタンドの提供をする。【解決手段】光源である発光ダイオード２が配置されるスタンド頭部３と、該スタンド頭部を支える支柱４と、内部に電気回路を備えたスタンド基部５からなり、スタンド基部内に備えられた電気回路内に可変抵抗器が設けられ、スタンド基部表面に設けられた調光摘み８で調光可能となした。【選択図】図１
0003130680.tif 000002
【実用新案登録請求の範囲】
【請求項１】
光源である発光ダイオードが配置されるスタンド頭部と、該スタンド頭部を支える支柱と、内部に電気回路を備えたスタンド基部からなり、スタンド基部内に備えられた電気回路内に可変抵抗器が設けられ、スタンド基部表面に設けられた調光摘みで調光可能となしたことを特徴とする教材用スタンド。
【考案の詳細な説明】
【技術分野】
【０００１】
本考案は、発光ダイオードを使用し、調光機能を有する教材用スタンドに関する。
【背景技術】
【０００２】
従来、調光機能を有する教具として白熱球が用いられており、発光ダイオードを使った教具では、調光機能を持ったものがなく、発光ダイオードの調光機能を学習するための教具がなかった。
【特許文献１】実開平６−８９６７号公報
【考案の開示】
【考案が解決しようとする課題】
【０００３】
本考案は、かかる問題点を解決するものであって、発光ダイオードを使用し調光機能を有する教材用スタンドの提供をするものである。
【課題を解決するための手段】
【０００４】
本考案に係る教材用スタンドは、光源である発光ダイオードが配置されるスタンド頭部と、該スタンド頭部を支える支柱と、内部に電気回路を備えたスタンド基部からなり、スタンド基部内に備えられた電気回路内に可変抵抗器が設けられ、スタンド基部表面に設けられた調光摘みで調光可能となしたことを特徴とする。
【考案の効果】
【０００５】
本考案は以上の通り構成するものであって、学習者が発光ダイオードを使用し調光機能を備えた電気スタンドを組み立てることで、発光ダイオードの調光機能を体験的に学習できる。その他、消費電力の大きい白熱球に変えて発光ダイオードを使用したことや調光機能を付加することで、消費電力が抑えられることが学習でき、さらには省エネルギーや環境問題の学習を行うことができる。
【考案を実施するための最良の形態】
【０００６】
以下、図面に示す実施の形態について説明する。 
図１は本考案に係る教材用スタンドの一部破断斜視図、図２は図１の背面側から見た斜視図、図３はその電気回路図である。
【０００７】
教材用スタンド１は、光源である発光ダイオード２が配置されるスタンド頭部３と、該スタンド頭部３を支える支柱４と、内部に電気回路を備えたスタンド基部５からなり、また教材用スタンド１に電源を供給するためのＡＣアダプタ用ジャック６が設けられている。
【０００８】
本考案に係る教材用スタンド１には、調光機能が付加されており、発光ダイオード２の調光を行うために、トランジスタの電流制御機能又は電圧制御機能を使用する。そこで、電気回路には、可変抵抗器７が設けられ、トランジスタ９のベース電流を制御するものとなし、スタンド基台５の表面には可変抵抗器７のボリュームを調節する調光摘み８が設けられている。
【０００９】
学習者が上記教材用スタンドを組み立てることで、発光ダイオードを使用した電気スタンドに於いて、調光の仕組みを体験的に学習できる。その他、消費電力の大きい白熱球に変えて発光ダイオードを使用したことや調光機能を付加することで、消費電力が抑えられることが学習でき、さらには省エネルギーや環境問題の学習を行うことができる。
【図面の簡単な説明】
【００１０】
【図１】本考案に係る教材用スタンドの一部破断斜視図である。
【図２】図１の背面側から見た斜視図である。
【図３】本考案に係る教材用スタンドの電気回路図である。
【符号の説明】
【００１１】
１    教材用スタンド
２    発光ダイオード
３    スタンド頭部
４    支柱
５    スタンド基部
６    ＡＣアダプタ用ジャック
７    可変抵抗器
８    調光摘み
９    トランジスタ
【図１】
0003130680.tif 000003
【図２】
0003130680.tif 000004
【図３】
0003130680.tif 000005
(57)【要約】【課題】本考案はゴルフのスイングにおける練習器具で、両腕を固定し、両腕の間隔を一定に保つことで安定したスイングが出来る。【解決手段】１００は空気の入ったゴム及び樹脂を使ったボール０２に腕と結束するバンド０６が対角に１つずつ設けてあり、そのバンド０６は一人での装着が安易に出来るようにボタン及びマジックテープ等を用い、固定具０４を介して、ボール０２に固定されている。両腕の固定することで、体をねじらなければスイングできないようになり、体にその動きを矯正できスイングの状態でも両腕の間隔は一定に保たれることで、安定したスイングが可能になる。【選択図】図１
0003130623.tif 000002
【実用新案登録請求の範囲】
【請求項１】
空気の入ったゴム及び樹脂を使ったボールに、腕と結束するバンドが対角に１つずつ設けてあり、そのンドには腕の太さ、体格にあわせて調整できるように調整具を介して取り付けられているスイングチェックボール。
【請求項２】
ボールには空気調節ができるように空気を調節できるバルブが設けてあり、空気を自分で入れ、空気圧も調節できるため空気圧を下げて練習することで矯正の進行が確認できる請求項１記載のスイングチェックボール。
【考案の詳細な説明】
【技術分野】
【０００１】本考案は、結束バンドを設けた、空気の入ったゴム及び樹脂を使ったスイングチェックボールに関するものである。
【背景技術】
【０００２】ゴルフのスイング練習の際に一人で両腕の開き確認する事が出来ず、ビデオ撮影か人に確認してもらうしかなかった。
【考案の開示】
【考案が解決しようとする課題】
【０００３】ビデオ撮影は機材の持ち込み及び設置に労力、手間、費用がかかり、一人での練習が困難である。スイングチェックボールは、持ち運びなど携帯できるものであり、腕が固定されるため一人で確認できることで前述の欠点を解決しようとするものである。
【課題を解決するための手段】
【０００４】本考案は、空気の入ったゴム及び樹脂を使ったボールに腕と結束するバンドが対角に１つずつ設けてある。そのバンドは体系にあわせて調節できるバンドで、一人での装着が安易に出来るようにボタン及びマジックテープを用い、ボールを腕の間に挟み、その両腕をボールに設けた２つのバンドが固定することで両腕の間隔を一定間隔のままスイングできることで問題点を解決している。
【考案の効果】
【０００５】上述の様に、本考案のスイングチェックボールは、両腕をボールに設けた２つのバンドが固定することで一定間隔のままスイングできる事はもちろん、両腕の固定し、体をねじってスイングすることで、体にその動きを矯正できる。かつ、空気を自分で入れ、空気圧も調整できるため空気圧を下げて練習することで矯正の進行が確認できることにより問題を解決しようとするものである。
【考案を実施するための最良の形態】
【０００６】スイングチェックボール本体にはボール部分とバンド部分がある。ボールには空気調節ができるように空気を調整できるバルブが設けてあり、バンドには腕の太さ、体格にあわせて調整できるように調整具を介して取り付けられている。よって、両腕をボールに設けた２つのバンドが固定することで一定間隔のままスイングできる事はもちろん、両腕の固定し、体をねじってスイングすることで、体にその動きを矯正できる。かつ、空気を自分で入れ、空気圧も調整できるため空気圧を下げて練習することで矯正の進行が確認できる。
【実施例】
【０００７】以下、添付図面に従って一実施例を説明する。１００は空気の入ったゴム及び樹脂を使ったボール０２に腕と結束するバンド０６が対角に１つずつ設けてあるスイングチェックボール本体１００である。そのバンド０６は体系にあわせて調節できる調整具０８を持たせたバンド０６であり、一人での装着が安易に出来るようにボタン及びマジックテープ等を用い、ボール０２を両腕の間に挟み、その両腕をボール０２に設けた２つのバンド０６で固定される。【０００８】バンド０６は固定具０４を介してボール０２に装着されている。【０００９】本考案の一実施例は上述の構成からなるものであり、バックスイング状態ａ及び、インパクト状態ｂ、フォロースルー状態ｃでも両腕の間隔は一定に保たれることで（図２参照）体をねじらなければスイングできないようになる。必要に応じて、ボール０２に装備されている空気圧調節バルブ１０にボール０２の中にある空気圧を調節することにより、体系にあわせた装着が可能となるとともに、徐々に空気圧を下げて両腕への圧力を落とすことで器具離れしていく効果もある。
【図面の簡単な説明】
【００１０】
【図１】本考案のスイングチェックボールの実施例を示す図である。
【図２】本考案のスイングチェックボールを装着してスイングした時の動きを示す図である。
【符号の説明】
１００  スイングチェックボール本体
０２  ボール
０４  固定具
０６  バンド
０８  調整具
１０  空気圧調節バルブ
ａ  バックスイング状態を示す図である。
ｂ  インパクト状態を示す図である。
Ｃ  フォロースルー状態を示す図である。
【図１】
0003130623.tif 000003
【図２】
0003130623.tif 000004
(57)【要約】【課題】  複数の球体を、同一方向に回転させる連結金具で固定し、球体を一方向のみに回転させる。【解決手段】  球体の中心を貫通する穴を有する球体複数を、同一方向に回転させる連結金具で固定することを特徴とする。【選択図】図１
0003130636.tif 000002
【実用新案登録請求の範囲】
【請求項１】
球体の中心を貫通する穴を有する球体複数を、同一方向に回転させる連結金具で固定されることを特徴とする、健康マッサージ器具。
【請求項２】
前記球体複数は、前記連結金具との摩擦を軽減させるための回転補助具が、前記貫通した穴に挿入されることを特徴とする請求項１の健康マッサージ器具。
【請求項３】
前記回転補助具は、ベアリングが着装されることを特徴とする、請求項２記載の健康マッサージ器具。
【考案の詳細な説明】
【技術分野】
【０００１】  本考案は、健康マッサージ器具に関するものである。
【背景技術】
【０００２】  足裏等のマッサージに、ゴルフボール等の球体を利用する事があるが、球体単体で足裏等をマッサージする場合、不安定で、球体が足から外れてしまい易いため、つま先や踵はマッサージし難い。
【考案の開示】
【考案が解決しようとする課題】
【０００３】  上述の如く、球体単体で思い通りの場所に球体を移動させることや、足裏等の隅々をマッサージする事は難しい。【０００４】  本考案は、このような点に鑑みて成されたものであり、その目的は、複数の球体を同一方向に回転させる連結金具で固定することで、球体が一方方向のみに移動し、且つ複数個の球体が前後にある為、足裏等の隅々までマッサージできるようにすることである。
【課題を解決するための手段】
【０００５】  上述の目的を達成する本考案のマッサージ器具は、球体の中心を貫通する穴を有する球体複数を、同一方向に回転させる連結金具で固定することを特徴とする。
【考案の効果】
【０００６】  以上説明したように、本考案によれば、球体が同一方向に回転するので、安定した方向性と、前後に球体があるため、マッサージできる範囲が広くなり、健康増進に極めて有効である。
【考案を実施するための最良の形態】
【０００７】  以下、本考案の実施の形態を図面に基づき詳細に説明する。【０００８】  図１〜図３は本考案の第一の実施の形態に係り、図１はその上面図、図２はその側面図、図３はその前面図。【０００９】  図１、図２、図３に示すように、本球体ローラーマッサージ器具１は、球体２の中心を通る連結金物３によって、球体２複数を同一方向に回転するように固定したものである。【００１０】  球体２に回転補助具４を挿入し、回転補助具４の中を通った連結金物３で固定される。【００１１】  回転補助具４にベアリング（図示せず）が着装されている。
【実施例１】
【００１２】  球体ローラーマッサージ器具は、例えば、前側に球体を１つ、後側に球体を２つの合計３つの球体を一対とすることで、コスト面で有利であり、且つ、足裏等に掛かる圧力が大きくなる点で最適である。
【産業上の利用可能性】
【００１３】  本考案は、健康マッサージ器具として、健康マッサージ器具の製造と販売する産業分野で利用する事ができる。
【図面の簡単な説明】
【００１４】
【図１】  本考案の第一の実施形態に係る球体ローラーマッサージ器具の上面図である。
【図２】  本考案の第一の実施形態に係る球体ローラーマッサージ器具の側面図である。
【図３】  本考案の第一の実施形態に係る球体ローラーマッサージ器具の前面図である。
【符号の説明】
１      球体ローラーマッサージ器具
２      球体
３      連結金具
４      回転補助具
【図１】
0003130636.tif 000003
【図２】
0003130636.tif 000004
【図３】
0003130636.tif 000005
(57)【要約】【課題】本考案は、綿棒容器の機能を効果的に高めたものである。【解決手段】本考案は、綿棒容器の内部中心にロール状の閉巻込軸を設けてこの巻込されたロールは、綿棒が減少してゆく段階で自動的に外側に放射状に広がり、その作用で綿棒が乱雑するのを容器の中心部より整理して綿棒を衛生的に取り出し易くできるようにしたものである。【選択図】図１
0003130635.tif 000002
【実用新案登録請求の範囲】
【請求項１】
綿棒を柱状に束ねて収納した筒状容器であって、その内部の中心にロール状の閉巻込軸を設け、この巻込ロールは外側に向かって自動的に放射状に広がるところを特徴とする綿棒整理容器。
【考案の詳細な説明】
【技術分野】
【０００１】本考案は、衛生清掃時に使用される綿棒の容器に関するものである。
【背景技術】
【０００２】従来の綿棒容器は綿棒が減少していくと乱雑になり取り出しにくく衛生上も好ましくなく整理ができない。
【考案の開示】
【考案が解決しようとする課題】
【０００３】本考案は、綿棒容器内の綿棒を整理することにより、前述の欠点を解決しょうとするものである。
【課題を解決するための手段】
【０００４】本考案は、綿棒容器の内部中心にロール状の閉巻込軸を設けてこの巻込されたロールは、綿棒が減少してゆく段階で自動的に外側に放射状に広がり、綿棒が乱雑するのを容器の中心より整理出来ることで課題を解決したものである。
【考案の効果】
【０００５】上述の様に綿棒容器は、綿棒が使用され減少されていくと容器の中が乱雑になり倒れ込みによる綿棒を整理でき衛生的で取り出しやすい。
【考案を実施するための最良の形態】
【０００６】本考案は、プラスチック等の素材で筒状に加工されており、筒状の容器の中心に巻込軸ロールが設けられ綿棒を整理することができる。
【実施例】
【０００７】本考案の容器は、綿棒が減少しても整理ができ、綿棒を他の容器に移し替える必要が省ける。
【図面の簡単な説明】
【０００８】
【図１】閉巻込ロール整理容器である。
【図２】開巻込ロール整理容器である。
【符号の説明】
【０００９】１綿棒整理容器
２容器蓋
３閉巻込ロール
４全収納綿棒
５開巻込ロール
６整理された綿棒
【図１】
0003130635.tif 000003
【図２】
0003130635.tif 000004
(57)【要約】【課題】所定の時刻に確実に起床するために目覚まし時計はセットしているものの，あと何時間寝ていられるのかを知りたい場合が多く，しかも，時刻確認のために目覚めてしまうことは避けたいとともに，同室の人も起こしたくない，との要求を実現する手段が強く求められている。本考案は，かかる要望に応えるものであるとともに，電車の中など騒音の大きい場所でも確実に時刻を確認できる音声通知時計を提案する。【解決手段】時刻設定機能，ならびに音声拡声部を耳に所定時間押圧することにより時刻を音声通知する機能を備えるとともに，暗闇における時計の所在表示機能を付加することにより，夜間においても時計を探す手間がかからず，周囲に迷惑を掛けずに簡単に時刻を確認できる音声通知時計。【選択図】図１
0003130638.tif 000002
【実用新案登録請求の範囲】
【請求項１】
時刻を音声で通知する時計に関し，時刻設定機能，ならびに音声拡声部を耳に所定時間押圧することにより時刻を音声通知する機能を備えることにより，就寝中ならびに騒音の中においても周囲に迷惑を掛けずに時刻を確認できる小型，軽量，低価格な音声通知時計。
【考案の詳細な説明】
【技術分野】
【０００１】時刻設定機能，ならびに音声拡声部を耳に所定時間押圧すことにより時刻を音声通知する機能を備えることにより，就寝中ならびに騒音の中においても周囲に迷惑を掛けずに時刻を確認できる小型，軽量，低価格な音声通知時計。
【背景技術】
【０００２】スイッチを押すことにより音声で時刻を知らせる時計は既に提案されているが，スピーカーにより周囲に通知するものであり，就寝中には暗闇の中で時計の所在を探さねばならないとともに，寝ている周囲の人にも通知音声を聞かせて迷惑を掛ける場合が多く，騒音の中では聞き取り難いなどの欠点を有している。また，ヘッドホン状の音声通知目覚まし時計も提案されているが，ヘッドホン状の目覚まし時計を就寝時に常に耳に保持し続けることは殆ど不可能であり，寝返りなどにより脱落する可能性が高いなど，従来技術はいずも実用面で大きな欠点を有している。
【考案が解決しようとする課題】
【０００３】就寝中において，目覚まし時計はセットしているものの，あと何時間寝ていられるのかを知るために時刻を確認したい場合が多いが，暗闇の中で時計の所在を探したり，布団から身体を出して時計を取り寄せたり，眼鏡を常用している人は眼鏡を掛けなければならないなどの動作により完全に目覚めてしまうとともに，通知音声により同室に寝ている人も起こしてしまうなど，就寝中における時刻の確認は極めて煩わしい問題であるとともに，電車内など騒音の中でも確実に時刻を聞き取りたい要求も強く，かかる課題を一挙に解決する新規な音声通知時計を提案する。
【課題を解決するための手段】
【０００４】時刻設定機能，ならびに音声拡声部を耳に所定時間押圧することで時刻を音声通知する機能を備えることにより，就寝中においても時計を探す手間がかからず，周囲に迷惑を掛けずに簡単に時刻を確認できる音声通知時計。
【考案の効果】
【０００５】音声拡声部を耳に所定時間押圧することで時刻を音声通知する機能を備えることにより，就寝中においても時刻の確認で目覚めることは無く，周囲に迷惑を掛けずに簡単に時刻を確認することが出来るとともに，騒音の大きい場所で時刻を確認する場合にも極めて有効である。
【考案を実施するための最良の形態】
【０００６】所定の時刻に確実に起床するために目覚まし時計はセットしているものの，あと何時間寝ていられるのかを知りたい場合が多く，しかも，時刻確認のために目覚めてしまうことは避けたいとともに，同室の人も起こしたくない，との要求を実現する手段が強く求められている。本考案は，かかる要望に応えるものであるとともに，電車の中など騒音の大きい場所でも確実に時刻を確認できる音声通知時計を提案する。【０００７】本考案による時計は必要な時に時刻を確認することのみを目的としているため，確認を必要とするタイミングに時刻通知を行う機能のみに限定し，発生のタイミングが不定なアラーム機能や目覚まし機能は基本的には組み込まない。かかる機能の単純化によって，小型化，軽量化，低価格化が図られる。【０００８】実施例では，音声拡声部を耳に押圧するために要する時間や誤動作を回避するために，耳に２秒以上押圧することにより，時刻スイッチにより時刻の音声通知を起動する構成が採られているとともに，暗闇の中でも所在が表示される機能が付加されている。図１に概略構成ブロック図を示すごとく，時刻通知音声ＲＯＭ，時刻スイッチ，音声通知制御回路，アンプ，イヤホン，時刻設定回路，時刻設定スイッチ，時刻表示ＬＣＤ，電池などで構成される。時刻通知は音声がデジタル化されてＲＯＭに書き込まれており，時刻スイッチが２秒以上押されることにより抽出されるデジタ時刻音声を，アナログ変換してアンプで所要増幅して音声拡声部を鳴動させる。【０００９】図２に音声拡声部としてイヤホン状の構成を用いた概観図を示す。１は耳挿入部，２は時刻表示ＬＣＤ，３は時刻セットスイッチ，４は時刻アップスイッチ，５は時刻ダウンスイッチ，６は音量調節，７は本体カバーであり，耳挿入部を耳に挿入して押圧することにより時刻スイッチが駆動される。また，夜間における所在表示としては，８の部分に蛍光処理を行って，暗闇で蛍光表示を行う。【００１０】図３に音声拡声部としてヘッドホン状の構成を用いた概観図を示す。９は耳当て部であり耳当て部が押圧されることにより時刻スイッチが駆動される。時刻通知音声は，音声拡声部を耳に押圧した状態で聞き取るものとし，耳当ての突起は極力低くするとともに，近傍への音漏れを少ない構成とする。上記するように，イヤホン状，ヘッドホン状の何れにかんしても，周囲に迷惑を掛けずに簡単に時刻を確認することが出来るとともに，騒音の大きい場所で時刻を確認する場合にも極めて有効である。
【実施例】
【００１１】本体カバーはプラスチック材で構成し，イヤホン状の耳挿入部は塩化ビニール材を使用し，ヘッドホン状の耳当て部は合成ゴム材を用い，何れも突起部を除いて縦，横，厚さは６０×３３×１７ｍｍ，重さは３２ｇ，電池はボタン電池を使用した。時刻通知を行う押圧時間を２秒としたが，２秒に限定されることは無く，音声による時刻通知を聞き漏らさない時間に設定すれば良い。夜間における所在表示としては，蛍光処理ではなくＬＥＤ表示を付加しても良いとともに，各種材質，ディメンジョンは必要により変更可能であり，アラーム機能や目覚まし機能を付与することも可能であるなど，本考案の登録請求の範囲を逸脱しない範囲で種々変形実施可能である。
【図面の簡単な説明】
【０００１２】
【図１】  概略構成ブロック図を示す。
【図２】  イヤホン状の概観図を示す。
【図３】  ヘッドホン状の概観図を示す。
【符号の説明】
１  イヤホン状の耳挿入部
２  時刻表示ＬＣＤ
３  時刻セットスイッチ
４  時刻アップスイッチ
５  時刻ダウンスイッチ
６  音量調節
７  本体カバー
８  夜間所在表示
９  ヘッドホン状の耳当て部
【図１】
0003130638.tif 000003
【図２】
0003130638.tif 000004
【図３】
0003130638.tif 000005
(57)【要約】【課題】地図帳の各頁に種々の縮尺で表示されたマップ上で２地点間の距離を簡易且つ正確に読み取ることができるマップグラフを提供すること。【解決手段】縮尺毎に距離を目盛った複数の直線Ｌ１，Ｌ２，Ｌ２…を透明な樹脂シート２上に表示してマップグラフ１を構成する。又、マップグラフ１上において、縦軸を縮尺として前記複数の直線Ｌ１，Ｌ２，Ｌ３…を上下方向に配列するとともに、各直線Ｌ１，Ｌ２，Ｌ３…上の等距離の点同士を線ｇ１，ｇ２，ｇ３…で結ぶ。【選択図】図１
0003130898.tif 000002
【実用新案登録請求の範囲】
【請求項１】
縮尺毎に距離を目盛った直線を透明な樹脂シート上に表示して構成されることを特徴とするマップグラフ。
【請求項２】
縦軸を縮尺として複数の前記直線を上下方向に配列するとともに、各直線上の等距離の点同士を線で結んだことを特徴とする請求項１記載のマップグラフ。
【考案の詳細な説明】
【技術分野】
【０００１】
本考案は、地図帳の各頁に種々の縮尺で表示されたマップ上で２地点間の距離を簡易且つ正確に読み取るためのマップグラフに関するものである。
【背景技術】
【０００２】
一般に市販の地図帳の各頁には種々の縮尺でマップが表示され、全頁に亘って統一した縮尺でマップが表示されてはいないのが実情である。この場合、縮尺は一般には各頁の右下に小さく表示されている。
【考案の開示】
【考案が解決しようとする課題】
【０００３】
例えば、ポケットサイズの地図帳を持ち歩く場合、現在位置から目的地までの距離をマップ上で縮尺を目安にして正確に求めることは殆ど不可能である。
【０００４】
本考案は上記問題に鑑みてなされたもので、その目的とする処は、地図帳の各頁に種々の縮尺で表示されたマップ上で２地点間の距離を簡易且つ正確に読み取ることができるマップグラフを提供することにある。
【課題を解決するための手段】
【０００５】
上記目的を達成するため、請求項１記載の考案は、縮尺毎に距離を目盛った直線を透明な樹脂シート上に表示してマップグラフを構成したことを特徴とする。
【０００６】
請求項２記載の考案は、請求項１記載の考案において、縦軸を縮尺として複数の前記直線を上下方向に配列するとともに、各直線上の等距離の点同士を線で結んだことを特徴とする。
【考案の効果】
【０００７】
請求項１記載の考案によれば、地図帳の該当頁に透明なマップグラフを当て、該当頁のマップの縮尺に対応するマップグラフ上の直線に付された目盛りによって２地点間の距離を簡易に且つ正確に読み取ることができる。
【０００８】
請求項２記載の考案によれば、縦軸を縮尺として複数の直線を上下方向に配列するとともに、各直線上の等距離の点同士を線で結んだため、直線間の任意の縮尺（直線によって表示されていない縮尺）にて表示されたマップであっても、各直線上の等距離の点同士を結んだ線によって２地点間の距離を簡易且つ正確に読み取ることができる。
【考案を実施するための最良の形態】
【０００９】
以下に本考案の実施の形態を添付図面に基づいて説明する。
【００１０】
図１は本考案に係るマップグラフの平面図、図２は同マップグラフの使用方法を示す平面図である。
【００１１】
本考案に係るマップグラフ１は、例えばポケットサイズの地図帳の大きさに略等しい大きさの矩形で透明な樹脂シート２上に、縮尺毎に距離を目盛った複数の直線Ｌ１，Ｌ２，Ｌ３…を印刷して構成されている。
【００１２】
本実施の形態では、樹脂シート２は、ポリプロピレン（ＰＰ）樹脂によって構成されており、その表面上には、縮尺５０００〜７００００までの範囲で、代表的な縮尺毎に距離を目盛った複数の直線Ｌ１，Ｌ２，Ｌ３…が印刷されている。このマップグラフ１においては、縦軸を縮尺としており、樹脂シート２の左右両端には縮尺を示す数字「５０００」，「８０００」，「１００００」…が上下方向に表示されている。そして、これらの縮尺「５０００」，「８０００」，「１００００」…の各々に対応する複数の直線Ｌ１，Ｌ２，Ｌ３…が横軸として上下方向に平行に配列されており、各直線Ｌ１，Ｌ２，Ｌ３…上に目盛られた数字「５０」，「１００」，「２００」…は距離(単位はｍ)を表示している。又、マップグラフ１上に表示された縮尺を示す数字「５０００」，「８０００」，「１００００」…は、実際には縮尺「１／５０００」，「１／８０００」，「１／１００００」を意味している。
【００１３】
又、本実施の形態では、各直線Ｌ１，Ｌ２，Ｌ３…上の等距離の点（同じ数字を表示する点）同士は曲線ｇ１，ｇ２，ｇ３…によって結ばれている。尚、樹脂シート２上の直線Ｌ１，Ｌ２，Ｋ３…や曲線、数字等を識別し易いように色分け表示しても良い。
【００１４】
次に、以上のように構成されたマップグラフ１の使用方法を図２に基づいて説明する。
【００１５】
本考案に係るマップグラフ１は普段(不使用時)は地図帳に挟んで収納されており、これを使用する際には地図帳から取りし、地図帳の該当する頁に当てる。そして、その頁に描かれたマップの縮尺と同じ縮尺に対応するマップグラフ１上の直線をマップ上の２地点を結ぶ直線に合わせる。すると、そのマップグラフ１上の直線に付された目盛りによって２地点間の距離を簡易に且つ正確に読み取ることができる。
【００１６】
例えば、縮尺１／２００００で描かれたマップ上のＡ点とＢ点間の距離ΔＬ１を知りたい場合には、直線Ｌ６をマップ上のＡ点とＢ点を結ぶ直線に合わせ、直線Ｌ５上に表示された目盛りを読み取ることによってＡ，Ｂ点間の距離ΔＬ１が６００ｍであることが正確に分かる。
【００１７】
又、マップの縮尺がマップグラフ１に直線表示されていない縮尺（直線Ｌ１，Ｌ２，Ｌ３…によって表示されていない縮尺）である場合、例えばマップの縮尺が１／２３０００である場合に、図２に示すようにマップ上のＣ点とＤ点間の距離ΔＬ２を知りたい場合には、マップグラフ１上の縦軸の縮尺「２１０００」から横に仮想の直線を引き、この直線上のＤ点の目盛を曲線ｇ５とｇ６との間で補間法にて読み取ることによって、Ｃ，Ｄ点間の距離ΔＬ２が７００ｍであることが正確に分かる。
【００１８】
以上のようにして、地図帳に種々の縮尺で描かれたマップ上の任意の２地点間の距離を本考案に係るマップグラフ１を用いて簡易且つ正確に読み取ることができる。
【図面の簡単な説明】
【００１９】
【図１】本考案に係るマップグラフの平面図である。
【図２】本考案に係るマップグラフの使用方法を示す平面図である。
【符号の説明】
【００２０】
１              マップグラフ
２              樹脂シート
ｇ１，ｇ２…    各直線上の等距離点を結ぶ曲線
Ｌ１，Ｌ２…    距離を目盛った直線
ΔＬ１，ΔＬ２  ２地点間の距離
【図１】
0003130898.tif 000003
【図２】
0003130898.tif 000004
(57)【要約】【課題】右利き、左利きを問わず使い易い定規の提供。【解決手段】少なくとも長手方向の一辺10の両側に筆記具のストッパとなる突起２、２を設け、該一辺10には、両突起間に目盛りを施し、且つ両突起の内側縁21、21を０起点として、互いに反対側にの突起側へ数値が大きくなる目盛り数字列11、12を施している。定規の左右両側に０起点が設けられているから、右利きの者も、左利きの者も、同じ様に、使い勝手がよい。又、筆記具を突起２内側縁21に当てた位置が０起点であるから、筆記具を０起点に位置決めするのが簡単である。又、右利きの者が、左利き用の所望の目盛りの位置から、左利き用の０起点の突起２に当たるまで定規１に沿わせて直線を引くと、筆記具がオーバランすることなく、正確な長さの直線を引くことができる。【選択図】図１
0003130868.tif 000002
【実用新案登録請求の範囲】
【請求項１】
少なくとも長手方向の一辺(10)の両側に筆記具のストッパとなる突起(２)(２)を設け、該一辺(10)には、両突起(２)(２)間に目盛りを施し、且つ両突起(２)(２)の内側縁(21)(21)を０起点として、互いに反対側の突起側へ数値が大きくなる目盛り数字列(11)(12)を施している定規。
【請求項２】
短手方向の辺にも目盛り(13)が施されている、請求項１に記載の定規。
【請求項３】
四隅が丸く形成されている、請求項１又は２に記載の定規。
【請求項４】
長手方向に沿う両辺(10)(14)の内、目盛りの施されていない辺(14)の定規裏面側に該辺(14)に沿って抉れ部(３)が形成されている、請求項１乃至３の何れかに記載の定規。
【考案の詳細な説明】
【技術分野】
【０００１】
本考案は、直線定規に関するものである。
【背景技術】
【０００２】
従来の直線定規は、右利きの者が使用し易い様に、目盛りの０起点は左側に位置しており、左利きの者には使い難かった。
【０００３】
又、年少者には、筆記具を定規の０起点に合わすことが難しい者、或いは、線引きの際に筆記具を正確な位置で止めることが難しい者がいる。
【考案の開示】
【考案が解決しようとする課題】
【０００４】
本考案は、上記問題を解決できる直線定規を明らかにするものである。
【課題を解決するための手段】
【０００５】
本考案の直線定規は、少なくとも長手方向の一辺(10)の両側に筆記具のストッパとなる突起(２)(２)を設け、該一辺(10)には、両突起(２)(２)間に目盛りを施し、且つ両突起(２)(２)の内側縁(21)(21)を０起点として、互いに反対側の突起側へ数値が大きくなる目盛り数字列(11)(12)を施している
【０００６】
定規(１)の短手方向の辺にも目盛りを施してもよい。
定規(１)の四隅を丸く形成してもよい。
定規(１)の長手方向に沿う両辺(10)(14)の内、目盛りの施されていない辺(14)の定規裏面側に、該辺(14)に沿って抉れ部(３)を形成してもよい。
【考案の効果】
【０００７】
定規の左右両側に０起点が設けられているから、右利きの者も、左利きの者も、同じ様に、使い勝手がよい。
又、筆記具を突起(２)の内側縁(21)に当てた位置が０起点であるから、筆記具を０起点に位置決めするのが簡単である。
又、右利きの者が、左利き用の所望長さの目盛りの位置から、左利き用の０起点の突起(２)に当たるまで定規(１)に沿わせて直線を引くと、筆記具がオーバランすることなく、正確な長さの直線を引くことができる。
【０００８】
定規(１)の短手方向の辺にも目盛り(13)を施しておくと、平行線を引く場合に、該短手方向の目盛りで平行線の間隔を決めることができ、定規を９０°回して平行線の間隔を決める必要はなく、便利である。
【０００９】
定規の四隅を丸く形成しておげば、定規の角部が当たって怪我をすることを防止できる。
定規(１)の長手方向に沿う両辺(10)(14)の内、目盛りの施されていない辺(14)の定規裏面側に、該辺(14)に沿って抉れ部(３)を形成しておくと、該辺(14)を沿わせて墨入れ線を引く場合に、墨(又は「インク」)が紙面と定規の間に滲み出して紙面を汚すことを防止できる。
【考案を実施するための最良の形態】
【００１０】
図１は、１５cmまでの長さを計ることのできる線定規(１)を示している。
定規(１)は、長手方向に沿う一辺(10)の両側に突起(２)(２)を設け、両突起(２)(２)間に、１mm刻みで目盛りを施している。
目盛りは、両突起(２)(２)の互いの内側縁(21)(21)と、定規の長手方向の辺(10)が交わる点を目盛りの０起点として、互いの０起点から反対側の突起側へ数値が大きくなる目盛り数字列(11)(12)を、１cm毎に施している。
【００１１】
)
定規(１)の短手方向の両辺にも目盛り(13)(13)が施されている。
【００１２】
定規(１)の四隅は丸くカットされている。
【００１３】
定規(１)の長手方向に沿う両辺(10)(14)の内、目盛りの施されていない方の辺(14)の、定規裏面には、全長に亘って抉れ部(３)が形成されている。
【００１４】
然して、定規(１)の左右両側に０起点が設けられているから、右利きの者も、左利きの者も、同じ様に、使い勝手がよい。
又、筆記具を突起(２)の内側縁(21)に当てた位置が０起点であるから、筆記具(図示せず)を０起点に位置決めするのが簡単である。
又、右利きの者が、左利き用の所望の目盛りの位置から、左利き用の０起点の突起に当たるまで定規に沿わせて直線を引くと、筆記具がオーバランすることなく、正確な長さの直線を引くことができる。
左利きの者が、右利き用の所望の目盛りの位置から、右利き用の０起点の突起に当たるまで定規に沿わせて直線を引く場合でも、上記同様の効果を奏する。
【００１５】
定規(１)の短手方向の辺にも目盛り(13)(13)施しておくと、平行線を引く場合に、該短手方向の目盛りで平行線の間隔を決めることができ、定規(１)を９０°回して平行線の間隔を決める必要はなく、便利である。
【００１６】
定規(１)の四隅を丸く形成しておげば、定規(１)の角部が当たって怪我をすることを防止できる。
【００１７】
定規(１)の長手方向に沿う両辺(10)(14)の内、目盛りの施されていない辺(14)の定規裏面側に、該辺(14)に沿って抉れ部(３)を形成しておくと、該辺(14)を沿わせて墨入れ線を引く場合に、墨(又は「インク」)が紙面と定規の間に滲み出して紙面を汚すことを防止できる。
【００１８】
尚、本考案は、１５cm定規に限らず、３０cm定規等、長さを限定されるものではないのは勿論である。
【図面の簡単な説明】
【００１９】
【図１】定規の正面図である。
【００２０】
【図２】図１Ａ−Ａ線に沿う断面図である。
【符号の説明】
【００２１】
１  定規
11  目盛り数字列
1   目盛り数字列
２  突起
３  抉れ部
【図１】
0003130868.tif 000003
【図２】
0003130868.tif 000004
(57)【要約】      （修正有）【課題】椎茸を収穫する楽しみ及び収穫直後に調理し新鮮な椎茸を食することを可能とする茸栽培木の輸送箱の提供。【解決手段】栽培された椎茸を収穫せず、椎の木（ほだ木）に栽培された状態で流通させ、ほだ木を２分割して輸送できる梱包箱。【選択図】図１
0003130863.tif 000002
【実用新案登録請求の範囲】
【請求項１】
椎茸菌を植付けた椎の木（ほだ木）を半分の長さに切断し、切断した２本のほだ木を、ダンボール箱の内部に、厚さ５cm程度の発泡スチロール等に代表される衝撃吸収作用のある材質のものに、逆三角形状に切り込みを２箇所入れることで構成されるほだ木の保持部が両脇に、弾性力で固定されていることを特徴とする輸送箱。
【考案の詳細な説明】
【技術分野】
【０００１】
本考案は栽培した茸が栽培木に育成されたまま輸送する箱の形状に関する。
【背景技術】
【０００２】
従来、茸類の輸送においては、収穫された茸を一旦袋やプラスチック製のトレイ等に梱包し、更にコンテナまたはダンボール箱等に梱包して納品先等へ輸送されることが一般的であり、茸が丸太（ほだ木）に育成されたまま輸送するものは現状では少ないようである。
円筒状のものを輸送するための梱包方法については、以下の特許文献が存在するが、径が一定ではないほだ木の輸送には、このままでは利用できない。
【特許文献１】特開2005-271993
【考案の開示】
【考案が解決しようとする課題】
【０００３】
従来、茸の輸送における梱包は、茸本体複数個を袋等に詰めたものを、複数袋をコンテナまたはダンボール箱等に梱包し輸送しているのが一般的である。
これによると、育成された茸が収穫された後、調理され食するまでにある程度の日数が必要となり、この期間に鮮度が失われる。
【０００４】
また、茸がどのように栽培され、どのように成長していくのかを見る機会は少なく、収穫を楽しむ機会は更に少ないため、自然に触れ合う感触と収穫直後に調理し食することは、現在の流通方式では困難である。
【課題を解決するための手段】
【０００５】
椎茸は椎の木（ほだ木）に椎茸菌を植付けた後、湿気を加え栽培されるが、ほだ木の長さは９０cmが一般的であり、その径は一定ではない。このほだ木に栽培された椎茸を収穫せず、ほだ木に栽培された状態で、流通させることで椎茸を収穫する楽しみ及び収穫直後に調理し新鮮な椎茸を食することが可能となる。
【０００６】
ほだ木を輸送する方法としては、ほだ木の表面が極力接触しないような梱包方法が必要となるが、長さが９０cmのままでは大きさ及び重さの面において、梱包材の強度が必要となり、取扱いにおいても慎重さが要求される。また、梱包材にかかる費用を考慮し、一般的に入手可能な安価な材料で構成することが望ましい。
【０００７】
ここで、ほだ木を半分の長さに切断し、切断した２本のほだ木をダンボール箱等に梱包する。箱の内部には、厚さ５cm程度の発泡スチロール等に代表される衝撃吸収作用のある材質のものに、逆三角形状に切り込みを２箇所入れることで構成されるほだ木の保持部が両脇に、弾性力で固定されている。
【０００８】
ほだ木の保持部の形状を逆三角にすることで、ほだ木の径の違いによっても、安定して保持することが可能となる。
【考案の効果】
【０００９】
この梱包箱により、椎茸がほだ木に栽培された状態で、流通させることが可能となり、椎茸を収穫する楽しみ及び収穫直後に調理し新鮮な椎茸を食することが可能となる。
【考案を実施するための最良の形態】
【００１０】
椎茸をほだ木に栽培された状態で輸送する手段として、ほだ木を２分割にし、この考案の梱包箱を利用することで、大きさ及び重量が手頃となり、宅配便での配送及び野菜等の流通経路を利用することも可能となる。
【実施例１】
【００１１】
椎茸をほだ木に栽培された状態で輸送し、収穫と新鮮な椎茸料理を味わうことができる。
また、椎茸菌を植え付けた時点で輸送し、栽培手順に基づき自宅等で育成することで、成長過程を楽しみながら、収穫と調理を堪能できる。
【産業上の利用可能性】
【００１２】
収穫間近の椎茸をほだ木に栽培された状態で、居酒屋、焼肉店、高級料亭及びホテルのレストラン等の飲食関連の店へ輸送し、お客の要望に合わせてその場で収穫し調理することで、採りたて椎茸料理を提供することが可能となる。
また、収穫後のほだ木をおみやげとして持ち帰り、栽培手順に基づき育成することで数回の収穫を楽しむことができる。
【図面の簡単な説明】
【００１３】
【図１】平面図
【図２】正面図
【図３】側面図
【符号の説明】
【００１４】
１  ダンボール箱
２  保持部
３  ダンボール箱蓋部
４  ほだ木
【図１】
0003130863.tif 000003
【図２】
0003130863.tif 000004
【図３】
0003130863.tif 000005
(57)【要約】      （修正有）【課題】引留具を用いて屋外線を引留める屋外線引留め装置において、屋外線に作用する張力を緩和して耐久的な引留め装置を得ることのできる補助具を提供する。【解決手段】中央杆１の両端部に、中央杆１に対して傾斜状の傾斜杆２，２´をそれぞれ連設して、屋外線引留具等の係止片２ａ，２´ａを引っ掛け部３とした鋼線屈曲体で構成する。そして、各傾斜杆２，２´の先端には傾斜杆２，２´同士が互いに接触する方向に突出するＵ字屈曲形状の係止片２ａ，２´ａを設けると共に、一方の傾斜杆２の係止片２ａを他方の傾斜杆２´の中間部に係止する。【選択図】図３
0003130873.tif 000002
【実用新案登録請求の範囲】
【請求項１】
中央杆の両端部に、該中央杆に対して傾斜状の傾斜杆をそれぞれ連設して、屋外線引留具等の係止片を引っ掛ける引っ掛け部とした鋼線屈曲体で成り、前記各傾斜杆の先端には該傾斜杆同士が互いに接触する方向に突出するＵ字屈曲形状の係止片を設けると共に、一方の傾斜杆の係止片を他方の傾斜杆の中間部に係止した、ケーブル等の屋外線引留め用補助具。
【考案の詳細な説明】
【技術分野】
【０００１】
本考案は、概し、ケーブル等の屋外線を建物や電柱に引留める際に用いる補助具に関するものである。
【背景技術】
【０００２】
例えば、光ケーブルとして屋外線を家屋に引留める場合、家屋の外壁に装着した釣釘のフックに引留具のなす環状係止リングを引っ掛け、引留具本体に設けた巻付け部に屋外線の支持線を巻き付け、該支持線と分離させた光ファイバー側の屋外線本体を家屋に引き込むようにしているのが一般である（例えば、特許文献１の図３には、家屋に代えて電柱に引留める場合が記載されている）。
【０００３】
【特許文献１】特開２００４−３４３８３４号公報
【考案の開示】
【考案が解決しようとする課題】
【０００４】
前記のような引留め装置において、例えば、屋外線に風圧が作用して張力が生じると、該張力は建屋外壁に装着した釣釘のフックに引留具の係止リングを介して負荷され、近年の家屋の外壁に用いられている新建材に挿着された釣釘は前記張力による外壁から容易に脱落する虞がある。
【０００５】
本考案は、例えば、斯様な釣釘の脱落を回避できる屋外線引留め装置を提供できる補助具を得るべく創案したものである。
【課題を解決するための手段】
【０００６】
中央杆の両端部に、該中央杆に対して傾斜状の傾斜杆をそれぞれ連設して、屋外線引留具等の係止片を引っ掛ける引っ掛け部とした鋼線屈曲体で成り、前記各傾斜杆の先端には該傾斜杆同士が互いに接触する方向に突出するＵ字屈曲形状の係止片を設けると共に、一方の傾斜杆の係止片を他方の傾斜杆の中間部に係止した構成とするのである。
【考案の効果】
【０００７】
本考案によれば、一方の引っ掛け部に屋外線の張力が作用すると、引っ掛け部間には該張力が相対的に作用して引っ掛け部は互いに反対方向に牽引され、その結果、引っ掛け部に係止していた引留具等の係止リングは、引っ掛け部から傾斜杆に沿って移動することになり、その結果、補助具は延びて変形し、前記張力が引留め側に対する直接的な作用を防ぐこととなり、緩衝効果を期待できる。
【０００８】
そして、変形の最終段階においては傾斜杆の先端に設けた係止片同士が互いに係止し合って当該引留め装置中からの脱落を防ぐことができる。
【実施例】
【０００９】
図面は本考案に係る、ケーブル等の屋外線引留め用補助具の一実施例を示し、図１は正面図、図２は平面図、図３は第一使用例の正面図、図４は第二使用例の正面図である。
【００１０】
図中、Ａは本考案に係る、ケーブル等の屋外線引留め用補助具で、補助具Ａは、鋼線を屈曲して形成した鋼線屈曲体で成り、中央杆１の両端部に該中央杆１に対して傾斜状の傾斜杆２，２´をそれぞれ連設して引っ掛け部３を設け、前記各傾斜杆２，２´の、自由端側の先端には各傾斜杆２，２´が互いに接触する方向に突出するＵ字屈曲形状の係止部片２ａ，２´ａを設け、一方の傾斜杆２の係止部片２ａを他方の傾斜杆２´の中間部に係止して構成したものである。
【００１１】
図３は補助具Ａの第一使用例を示し、図中１１は家屋の外壁ｗに釘着した引留めフックで、該引留めフック１１に補助具Ａの、傾斜杆２´側の一方の引っ掛け部３を、傾斜杆２側の他方の引っ掛け部３には屋外線引留具１２の係止リング１２ａをそれぞれ引っ掛け、すなわち、引留めフック１１と引留具１２との間に介在させてある補助具Ａを用いてある。
【００１２】
この使用例にあっては、引留めフック１１或いは係止リング１２ａが無端状のリング体を構成するものであっても、一方の傾斜杆２側の係止部片２ａを他方の傾斜杆２´から素材である鋼線の弾性変形を利用して離脱させ、補助具Ａに前記係止リング１２ａ等を通すようにして、再び係止リング１２ａを傾斜杆２に係止するようにして組付けることができる。
【００１３】
そして、引留具１２に屋外線の支持線ａを巻き付けて屋外線を引留め、家屋内に引き込むのであるが、該引留め状態にあって支持線ａに風圧などによって張力が作用したとき、補助具Ａの引っ掛け部３，３に互いに反対方向の張力が作用することになり、その結果、補助具Ａは変形して延び、張力が引留めフック１１を止着した釘ｎに直接作用することを防ぎ、いわば緩衝効果が生じて引留めフック１１の外壁ｗからの離脱を妨げることになるのである。
【００１４】
図４で示す第二使用例は、屋外線を分岐したり、或いは、張設方向を変える場合に際し、本補助具Ａを三方からの支持線ａ´，ａ´，ａ´を組付けた引留具１１Ａ，１１Ａ，１１Ａ間に介在させた、所謂中間引留めに用いた場合を示し、前記の通り、係止部片２ａを傾斜杆２´から係離させて無端状のリング体を組付けられることから、係止リングが無端状リング体（通常は、なす環状）で構成した引留具１１Ａ，１１Ａ，１１Ａを補助具Ａを用いることによって強固に接続して置くことができ、前記屋外線の分岐や張設方向の変更に好適な装置を提供できるのである。
【００１５】
なお、実施例に用いた引留具１１，１１Ａは、基盤の片面に複数個の巻付け部を突設して留具本体を構成し、該留具本体（合成樹脂製）の巻付け部に支持線を巻き付けて留具本体より突出させた鋼線より成る係止体の先端の係止リングを、屋外線を引留める電柱や家屋に設けた引留めフック等々引っ掛けて屋外線に張力が作用しないよう該屋外線を引留めるために用いるもので、前記文献を挙げるまでもなく、公知である。もっとも、本考案に係る補助具は、該公知のものにのみ適用することにこだわる必要はない。
【図面の簡単な説明】
【００１６】
【図１】正面図。
【図２】平面図。
【図３】第一使用例の正面図。
【図４】第二使用例の正面図。
【符号の説明】
【００１７】
１            中央杆
２，２´      傾斜杆
２ａ，２´ａ  係止片
３            引っ掛け部
【図１】
0003130873.tif 000003
【図２】
0003130873.tif 000004
【図３】
0003130873.tif 000005
【図４】
0003130873.tif 000006
(57)【要約】      （修正有）【課題】ペットボトル表面に小ロットで写真やラベル等を容易に付着させると共に、ペットボトルの使用後にそれらを容易に剥離することができるペットボトルの被覆構造の提供。【解決手段】写真やラベル等の表示紙１の裏面に低粘着性の粘着剤２を付着し、それをペットボトル３表面に着脱自在に仮貼着する。そして、表示紙１の上から熱収縮性の筒状の透明なフィルム４を被覆する。【選択図】図１
0003130806.tif 000002
【実用新案登録請求の範囲】
【請求項１】
写真やラベル等の表示紙(1) の裏面が、低粘着性の粘着剤(2)を介して、ペットボトル(3)表面に着脱自在に仮貼着され、その表示紙(1)の上から熱収縮性の筒状の透明なフィルム(4)が、そのペットボトル(3)に密着して被覆されてなるペットボトルの被覆構造。
【請求項２】
請求項１において、
裏面に水溶性の粘着剤(2)を付着した前記表示紙(1)が、ペットボトル(3)表面に仮貼着されてなるペットボトルの被覆構造。
【考案の詳細な説明】
【技術分野】
【０００１】
本考案は、小ロットの写真や印刷物を、飲料用ペットボトル表面に着脱自在に被覆できる被覆構造に関する。
【背景技術】
【０００２】
ペットボトル表面には、熱収縮性の筒状の透明フィルム（シュリンクフィルム）が被覆されている。このフィルムの表面には、予め印刷がされている。
一般にこのような印刷されたシュリンクフィルムは量産性に適するが、小ロットの需要には適さない。単位当たりのフィルムの印刷コストが高価になるからである。
小ロットの需要は、一例として結婚式における写真や、各種イベントの宣伝用ラベル等であって、それらをペットボトル表面に付着させ、その参加者のみに配ることが好まれる。しかしながら、従来のペットボトルの被覆構造はこのような需要に適さない。
【考案の開示】
【考案が解決しようとする課題】
【０００３】
そこで本考案は係る課題を解決すると共に、使用後のペットボトルのリサイクルを向上させる共に、付着された写真やラベル等を容易に剥離して、それらを保管することができるものを提供することを課題とする。
【課題を解決するための手段】
【０００４】
請求項１に記載の本考案は、写真やラベル等の表示紙(1) の裏面が、低粘着性の粘着剤(2)を介して、ペットボトル(3)表面に着脱自在に仮貼着され、その表示紙(1)の上から熱収縮性の筒状の透明なフィルム(4)が、そのペットボトル(3)に密着して被覆されてなるペットボトルの被覆構造である。
【０００５】
請求項２に記載の本考案は、請求項１において、
裏面に水溶性の粘着剤(2)を付着した前記表示紙(1)が、ペットボトル(3)表面に仮貼着されてなるペットボトルの被覆構造である。
【考案の効果】
【０００６】
本考案のペットボトルの被覆構造は、表示紙１の裏面が、低粘着性の粘着剤２を介してペットボトル３表面に着脱自在に仮貼着され、その表示紙１の上から熱収縮性の筒状の透明なフィルム４が密着して被覆されたものであるから、そのフィルム４を取り外すことにより、写真等の表示紙１をペットボトル３表面から容易に外すことができる。それにより、写真その他をアルバム等に保管することができる。
また、フィルム４および表示紙１をペットボトル３から取り外すことにより、ペットボトル３のリサイクルを円滑に行うことができる。
【０００７】
上記構成において、粘着剤２として水溶性のものを用い、それを表示紙１の裏面に付着させて表示紙１をペットボトル３表面に仮貼着することができる。この場合には、より完全に写真等の表示紙１をペットボトル３表面から剥離させることができる。
【考案を実施するための最良の形態】
【０００８】
次に、図面に基づいて本考案の実施の形態につき説明する。
図１は、本考案のペットボトルの被覆構造の分解斜視説明図である。また、図２はその被覆構造の斜視図および要部断面拡大図である。さらに図３は、使用後のペットボトルの透明フィルムを取り除いた状態を示す説明図である。
本考案のペットボトルの被覆構造は、飲料用ペットボトル（ポリエチレンテレフタレート製容器）の胴部５の表面に写真や広告ラベルからなる表示紙１（紙またはフィルムのもの）を仮貼着するものである。その一例として、表示紙１の裏面側の好ましくはその四隅に、低粘着性の粘着剤２を付着させる。
【０００９】
この粘着剤２としては、水溶性のもの（通常の糊剤）を付着させ、その表示紙１をペットボトル３の胴部５に仮貼着させる。
次いで、筒状に形成した熱収縮性の透明なフィルム４を表示紙１の上から被嵌し、それを熱収縮させる。即ち、フィルム４に温風や蒸気を吹き付けて収縮させるものである。このフィルム４は、スチレン系樹脂，ポリエステル系樹脂，ポリ塩化ビニール等からなり、厚さ１０〜１００μｍ程度の公知のものである。そして熱収縮率は、７０℃〜１００℃の状況で２０％〜８０％程度である。
【００１０】
このようにして熱収縮したフィルム４は、図２の如く、表示紙１を含みペットボトル３の胴部５に密着する。
なお、フィルム４には予め切断用ミシン目７が形成されている。
また、水溶性の粘着剤２を用いた場合には、フィルム４の熱収縮の際の温度環境でその粘着剤が完全に乾燥し、表示紙１とペットボトル３との粘着力が低下する。
【００１１】
次いで、このペットボトル３の使用後には、フィルム４を切断用ミシン目７から切り取って取り除く。するとそのペットボトル３の表面の表示紙１は、容易に剥離する。場合によっては、フィルム４の剥離と共に、自然に表示紙１も剥離する。表示紙１が写真の場合には、それをアルバムに貼り付けて保管することが可能となる。同様にラベルも保管が可能である。
また、ペットボトル３の表面には何ら付着物が存在しないため、そのリサイクルが容易となる。
【図面の簡単な説明】
【００１２】
【図１】本考案のペットボトルの被覆構造の分解斜視説明図。
【図２】同被覆構造の斜視図およびＢ−Ｂ矢視拡大断面図。
【図３】使用後のペットボトル３からフィルム４を取り除いた状態を示す斜視説明図。
【符号の説明】
【００１３】
１  表示紙
２  粘着剤
３  ペットボトル
４  フィルム
５  胴部
６  口部
７  切断用ミシン目
【図１】
0003130806.tif 000003
【図２】
0003130806.tif 000004
【図３】
0003130806.tif 000005